(57)【要約】【課題】  一方の基板側に行電極対と列電極の双方が配置されるＰＤＰにおいて、放電電圧の上昇を抑制する。【解決手段】  前面ガラス基板１側に行電極対（Ｘ１，Ｙ１）と列電極Ｄ１が配置されたＰＤＰにおいて、行電極対（Ｘ１，Ｙ１）が前面ガラス基板１に近接する側に配置されて第１誘電体層２によって被覆され、この第１誘電体層２の背面上に列電極Ｄ１とフローティング電極Ｅ１，Ｅ２が配置されて第２誘電体層１３によって被覆されており、フローティング電極Ｅ１，Ｅ２がそれぞれ行電極対（Ｘ１，Ｙ１）の行電極Ｘ１，Ｙ１と前面ガラス基板１の厚さ方向において重なり合う位置に配置されている。【選択図】    図２
2006324033.tif 000002
【特許請求の範囲】
【請求項１】
放電空間を介して互いに対向する一対の基板と、この一対の基板のうちの一方の基板の背面側に配置されて互いに直交する方向に延びるそれぞれ複数の第１電極および第２電極と、この第１電極と第２電極を被覆する誘電体層を備え、第１電極と第２電極によってそれぞれ放電が行われる複数の単位発光領域が放電空間内にマトリクス状に形成されたプラズマディスプレイパネルにおいて、
前記第１電極が一方の基板に近接する側に配置され、第２電極が誘電体層を介して放電空間に近接する側に配置され、
前記誘電体層内の第１電極よりも放電空間に近接するとともに一方の基板の厚さ方向において第１電極と重なる位置に、他の部分に電気的に接続されていない第３電極が配置されている、
ことを特徴とするプラズマディスプレイパネル。
【請求項２】
前記第１電極が行電極対であり、第２電極が列電極であり、第３電極が行電極対を構成するそれぞれの行電極に対して一対ずつ配置されている請求項１に記載のディスプレイパネル。
【請求項３】
前記行電極対が一方の基板の背面側に形成されて第１誘電体層によって被覆され、この第１誘電体層の背面側に列電極と第３電極が形成されて、第１誘電体層に積層して形成された第２誘電体層によって被覆されている請求項２に記載のディスプレイパネル。
【請求項４】
前記行電極対を構成する行電極が、それぞれ、行方向に延びる行電極本体部と、この行電極本体部から単位発光領域毎に対になっている他方の行電極側に向かって列方向に突出して互いに放電ギャップを介して対向する行電極突出部とを有し、第３電極が、行電極突出部の先端部分と一方の基板の厚さ方向において重なる位置に配置されている請求項２に記載のディスプレイパネル。
【請求項５】
前記行電極突出部が、互いに放電ギャップを介して対になっている他方の行電極の行電極突出部と対向される幅広の先端部と、この幅広の先端部と行電極本体部とを接続する幅狭の基端部とを有し、第３電極が、一方の基板の厚さ方向において行電極突出部の幅広の先端部の少なくとも一部と重なる位置に配置されている請求項４に記載のプラズマディスプレイパネル。
【請求項６】
前記第１電極が列電極であり、第２電極が行電極対である請求項１に記載のディスプレイパネル。
【請求項７】
前記列電極が一方の基板の背面側に形成されて第１誘電体層によって被覆され、この第１誘電体層の背面側に行電極対と第３電極が形成されて、第１誘電体層に積層して形成された第２誘電体層によって被覆されている請求項６に記載のディスプレイパネル。
【請求項８】
前記列電極が、列方向に延びる列電極本体部と単位発光領域毎に列電極本体部から行方向に突出する列電極放電部とを有し、第３電極が、一方の基板の厚さ方向において列電極の列電極放電部の少なくとも一部と重なる位置に配置されている請求項６に記載のディスプレイパネル。
【請求項９】
前記列電極が列方向に帯状に延びる形状を有し、第３電極が行方向に延びて、この第３電極の一方の端部が、一方の基板の厚さ方向において列電極と重なる位置に配置されている請求項６に記載のディスプレイパネル。
【請求項１０】
前記一方の基板が、パネルの表示面を構成する前面基板である請求項１に記載のプラズマディスプレイパネル。
【発明の詳細な説明】
【技術分野】
【０００１】
この発明は、プラズマディスプレイパネルのパネル構造に関する。
【背景技術】
【０００２】
一般に、前面ガラス基板側に行電極対が形成され背面ガラス基板側に列電極が形成された従来の三電極型プラズマディスプレイパネル（以下、ＰＤＰという）は、前面ガラス基板と背面ガラス基板の間において行電極対と列電極の位置関係に高い精度が要求される等の理由によって製造コストが高くなり、さらに、行電極と列電極の間の放電ギャップが大きくなってこの間で発生されるアドレス放電の放電開始電圧が大きくなってしまうという問題を有している。
【０００３】
このため、近年、製造コストの低廉化を図るとともにアドレス放電開始電圧を低下させるために、行電極対と列電極の双方を一方のガラス基板側に形成する構成のＰＤＰが提案されている。
【０００４】
この従来のＰＤＰは、図１において、表示面を構成する前面ガラス基板１の背面に、それぞれ透明電極Ｘａ，Ｙａとバス電極Ｘｂ，Ｙｂとを有する行電極ＸとＹが対になった複数の行電極対（Ｘ，Ｙ）が、前面ガラス基板１の行方向に延び列方向に並設された状態で形成されている。
【０００５】
前面ガラス基板１の背面には、さらに、第１誘電体層２が形成されて、行電極対（Ｘ，Ｙ）が被覆されている。
【０００６】
この第１誘電体層２の背面には、列電極本体部Ｄａと列電極放電部Ｄｂによって構成される列電極Ｄが、前面ガラス基板１の列方向に延び行方向に並設された状態で形成されていて、列電極放電部Ｄｂの先端部がそれぞれ行電極対（Ｘ，Ｙ）の各透明電極ＸａとＹａの間に形成されている放電ギャップｇの中間位置に対向する位置に位置されている。
【０００７】
そして、第１誘電体層２の背面に第２誘電体層３が形成されて、この第２誘電体層３によって列電極Ｄが被覆されている。
【０００８】
前面ガラス基板１と放電空間を介して対向する図示しない背面ガラス基板の前面ガラス基板１側の面上には、放電空間を放電セル毎に区画する隔壁が形成され、さらに、この隔壁の内側に放電セル毎に赤，緑，青に色分けされた蛍光体層が形成されている（例えば、特許文献１参照）。
【０００９】
上記のような行電極対と列電極の双方が前面ガラス基板側に形成されたＰＤＰは、製造コストの低廉化が図られるとともに、行電極対と列電極がそれぞれ前面ガラス基板と背面ガラス基板に分けられて配置されたＰＤＰに比べてアドレス放電の放電開始電圧を低下させることが可能になるが、以下のような新たな問題が発生する。
【００１０】
すなわち、上記の従来のＰＤＰは、行電極対（Ｘ，Ｙ）を被覆する誘電体層が第１誘電体層２と第２誘電体層３の二層構造になるため、この行電極対（Ｘ，Ｙ）と放電セル内の放電空間との間に介在される誘電体層の膜厚が大きくなって、行電極ＸとＹ間において発生されるサステイン放電および行電極Ｙと列電極Ｄ間において発生されるアドレス放電の放電電圧が上昇してしまうという問題が発生する。
【００１１】
また、従来のＰＤＰには、上記と反対に、列電極が前面ガラス基板側に配置され、行電極対が放電空間側に配置されたものもあるが、このような列電極が前面ガラス基板側に配置されたＰＤＰにおいても、同様の問題が発生する。
【００１２】
【特許文献１】特開平１０−３２１１４５号公報
【発明の開示】
【発明が解決しようとする課題】
【００１３】
この発明は、上記のような従来の一方の基板側に行電極対と列電極の双方が配置されるＰＤＰにおいて発生する問題点を解決することをその技術的課題の一つとしている。
【課題を解決するための手段】
【００１４】
この発明（請求項１に記載の発明）によるＰＤＰは、上記目的を達成するために、放電空間を介して互いに対向する一対の基板と、この一対の基板のうちの一方の基板の背面側に配置されて互いに直交する方向に延びるそれぞれ複数の第１電極および第２電極と、この第１電極と第２電極を被覆する誘電体層を備え、第１電極と第２電極によってそれぞれ放電が行われる複数の単位発光領域が放電空間内にマトリクス状に形成されたプラズマディスプレイパネルにおいて、前記第１電極が一方の基板に近接する側に配置され、第２電極が誘電体層を介して放電空間に近接する側に配置され、前記誘電体層内の第１電極よりも放電空間に近接するとともに一方の基板の厚さ方向において第１電極と重なる位置に、他の部分に電気的に接続されていない第３電極が配置されていることを特徴としている。
【発明を実施するための最良の形態】
【００１５】
この発明は、放電空間を介して互いに対向する一対の基板と、この一対の基板のうちの一方の基板の背面側に配置されて互いに直交する方向に延びるそれぞれ複数の第１電極および第２電極と、この第１電極と第２電極を被覆する誘電体層を備え、第１電極と第２電極によってそれぞれ放電が行われる複数の単位発光領域が放電空間内にマトリクス状に形成されており、第１電極が一方の基板に近接する側に配置され、第２電極が誘電体層を介して放電空間に近接する側に配置され、誘電体層内の第１電極よりも放電空間に近接するとともに一方の基板の厚さ方向において第１電極と重なる位置に、他の部分に電気的に接続されていない第３電極が配置されているＰＤＰを、その最良の実施形態としている。
【００１６】
上記実施形態によるＰＤＰは、第１電極と第２電極によって単位発光領域内の放電空間において放電が行われて画像形成が行われる際に、第１電極に放電発生のための電圧が印加されると、第１電極に対向するとともにこの第１電極よりも放電空間に近接する側に配置されている第３電極が、第１電極と誘電体層を介して容量結合される。
【００１７】
このため、従来は、第１電極間において、または、第１電極と第２電極の間で発生されていた放電が、それぞれ第１電極に容量結合される第３電極間、または、第３電極と第２電極の間で発生されるようになる。
【００１８】
このとき、第３電極と放電空間の間に介在される誘電体層の厚さは、第１電極と放電空間の間に介在される誘電体層の厚さよりも薄くなっているので、一方の基板側に第１電極と第２電極の双方が配置されたＰＤＰにおいて、第１電極間または第１電極と第２電極の間における放電電圧が、第１電極と第２電極が放電空間を介して対向する一対の基板にそれぞれ分けて配置されているＰＤＰに比べて上昇するのを抑制することが出来、それぞれ小さな放電電圧によって放電を発生させることが出来るようになる。
【００１９】
上記実施形態のＰＤＰにおいて、第１電極が行電極対であり、第２電極が列電極であり、第３電極が第１電極の行電極対に対してそれぞれ一対ずつ配置されている場合には、各行電極に容量結合される対になっている第３電極間においてサステイン放電が発生され、また、一方の行電極に容量結合される第３電極と列電極間においてアドレス放電が発生されて、このサステイン放電およびアドレス放電の放電電圧の上昇が何れも抑制されることにより、それぞれ小さな放電電圧によって放電を発生させることが出来るようになる。
【００２０】
さらに、上記の行電極対が一方の基板の背面側に形成された第１誘電体層によって被覆され、この第１誘電体層の背面側に列電極と第３電極が形成されて、第１誘電体層に積層して形成された第２誘電体層によって被覆されている場合には、放電を発生させる第３電極を被覆する誘電体層が第２誘電体層のみとなるので、この第３電極と放電空間との間に介在される誘電体層の膜厚が小さくなり、サステイン放電およびアドレス放電の放電電圧が小さくなる。
【００２１】
さらに、上記の第３電極が、行電極対を構成する行電極のそれぞれ行電極突出部の先端部分、例えば、幅広の先端部と重なる位置に配置されている場合には、第３電極が行電極突出部を介して行電極に容量結合されることによって、サステイン放電およびアドレス放電の放電電圧の上昇が何れも抑制されて、それぞれ小さな放電電圧によって放電を発生させることが出来るようになる。
【００２２】
また、前記実施形態のＰＤＰにおいて、第１電極が列電極であり、第２電極が行電極対であり、第３電極が列電極に対して重なる位置に配置されている場合には、列電極に容量結合される第３電極と行電極対の一方の行電極間においてアドレス放電が発生されて、このアドレス放電の放電電圧の上昇が抑制されて小さな放電電圧によって放電を発生させることが出来るようになる。
【００２３】
さらに、上記の列電極が一方の基板の背面側に形成された第１誘電体層によって被覆され、この第１誘電体層の背面側に行電極対と第３電極が形成されて、第１誘電体層に積層して形成された第２誘電体層によって被覆されている場合には、放電を発生させる第３電極を被覆する誘電体層が第２誘電体層のみになるので、この第３電極と放電空間との間に介在される誘電体層の膜厚が薄くなり、アドレス放電電圧が小さくなる。
【００２４】
さらに、上記の第３電極が、列電極を構成する列電極放電部と重なる位置に配置されている場合には、第３電極が列電極放電部を介して列電極と容量結合されることによって、アドレス放電の放電電圧の上昇が何れも抑制される。
【００２５】
さらに、上記の列電極が、列方向に帯状に延びる部分のみを有していて、第３電極の一方の端部がこの列電極と重なる位置に配置されている場合には、第３電極がその端部部分において列電極と容量結合されることによって、アドレス放電電圧が小さくなる。
【００２６】
また、前記実施形態のＰＤＰにおいて、一方の基板がパネルの表示面を構成する前面基板である場合には、この前面基板に対して第２電極および第３電極が第１電極よりも放電空間側に近接する位置に配置されて、第１電極と第３電極とが容量結合されることにより、第１電極間または第１電極と第２電極の間における放電電圧が従来のＰＤＰと比べて小さくなる。
【実施例１】
【００２７】
図２ないし４は、この発明によるＰＤＰの実施形態における第１実施例を示しており、図２はこの第１実施例におけるＰＤＰの前面ガラス基板の背面側の構成の一部を示す斜視図であり、図３は同実施例のＰＤＰの一部を示す正面図，図４は図３のＶ１−Ｖ１線における断面図である。
【００２８】
なお、下記において、図１の従来のＰＤＰと同様の構成部分については、図１と同一の符号を付して説明を行う。
図２ないし４において、パネルの表示面を構成する前面ガラス基板１の背面上に、複数の行電極対（Ｘ１，Ｙ１）が、前面ガラス基板１の行方向（図３の左右方向）に延びるように平行に配列されている。
【００２９】
行電極Ｘ１は、Ｔ字形状に形成されたＩＴＯ等の透明導電膜からなる透明電極Ｘ１ａと、前面ガラス基板１の行方向に延びて透明電極Ｘ１ａの幅狭の基端部に接続された黒色または暗色の金属膜からなるバス電極Ｘ１ｂとによって構成されている。
【００３０】
行電極Ｙ１も同様に、Ｔ字形状に形成されたＩＴＯ等の透明導電膜からなる透明電極Ｙ１ａと、前面ガラス基板１の行方向に延びて透明電極Ｙ１ａの幅狭の基端部に接続された黒色または暗色の金属膜からなるバス電極Ｙ１ｂとによって構成されている。
【００３１】
この行電極Ｘ１とＹ１は、前面ガラス基板１の列方向（図３の上下方向）に交互に配列されており、バス電極Ｘ１ｂとＹ１ｂに沿って並列されたそれぞれの透明電極Ｘ１ａとＹ１ａが互いに対となる相手の行電極側に延びて、透明電極Ｘ１ａとＹ１ａの幅広部の頂辺が、それぞれ所要の間隔の放電ギャップｇ１を介して互いに対向されている。
【００３２】
そして、この前面ガラス基板１の背面に第１誘電体層２が形成されて、行電極対（Ｘ１，Ｙ１）が被覆されている。
【００３３】
この第１誘電体層２の背面上には、列電極Ｄ１を構成する帯状の列電極本体部Ｄ１ａが、行電極Ｘ１，Ｙ１のバス電極Ｘ１ｂ，Ｙ１ｂに沿って行方向に等間隔に並ぶ透明電極Ｘ１ａ，Ｙ１ａのそれぞれの中間位置に対向する位置において列方向に延びるように、互いに所定の間隔を開けて平行に配列されている。
【００３４】
さらに、第１誘電体層２の背面上には、列電極Ｄ１を構成する帯状の列電極放電部Ｄ１ｂが、その先端部がそれぞれ行電極対（Ｘ１，Ｙ１）の各透明電極Ｘ１ａとＹ１ａ間の放電ギャップｇ１の中間位置に対向する位置に位置されるように、表示ラインＬごとに、各列電極本体部Ｄ１ａの側部から行方向に延びるように一体的に形成されている。
【００３５】
さらに、この第１誘電体層２の背面上には、各列電極放電部Ｄ１ｂの列方向において両側に位置する部分に、それぞれ、他の部分に電気的に接続されていない一対ずつのフローティング電極Ｅ１，Ｅ２が形成されている。
【００３６】
このフローティング電極Ｅ１とＥ２は、それぞれ短冊形状に成形されていて、列電極放電部Ｄ１ｂとの間に所要の間隔が開けられているとともに、行電極Ｘ１，Ｙ１の透明電極Ｘ１ａ，Ｙ１ａの幅広の先端部分Ｘ１ａ１，Ｙ１ａ１に対して、それぞれ、前面ガラス基板１の厚さ方向において重なり合う位置に配置されている。
【００３７】
この実施例において、フローティング電極Ｅ１，Ｅ２は、透明電極Ｘ１ａ，Ｙ１ａの幅広の先端部分Ｘ１ａ１，Ｙ１ａ１の形状と、それぞれほぼ同一形状に成形されていて、前面ガラス基板１側から見て、透明電極Ｘ１ａ，Ｙ１ａの先端部分Ｘ１ａ１，Ｙ１ａ１とほぼ完全に重なり合った位置に配置されている。
【００３８】
このフローティング電極Ｅ１，Ｅ２は、金属電極または透明電極の何れであっても良いが、透明電極が好ましい。
そして、第１誘電体層２の背面には、第２誘電体層１３が形成されて、列電極Ｄ１の列電極本体部Ｄ１ａと列電極放電部Ｄ１ｂ，フローティング電極Ｅ１，Ｅ２が被覆されている。
【００３９】
この第２誘電体層１３の背面には、列方向において隣接する行電極対（Ｘ１，Ｙ１）の互いに背中合わせに位置しているバス電極Ｘ１ｂとＹ１ｂ、および、この背中合わせのバス電極Ｘ１ｂとＹ１ｂの間の領域部分に対向する位置に、それぞれ、行方向に帯状に延びる嵩上げ誘電体層１４が形成されている。
【００４０】
そして、この第２誘電体層１３と嵩上げ誘電体層１４の背面に、ＭｇＯからなる図示しない保護層が形成されて、この保護層によって第２誘電体層１３および嵩上げ誘電体層１４の背面が被覆されている。
【００４１】
一方、前面ガラス基板１と放電空間を介して対向する背面ガラス基板１５の前面ガラス基板１側の面上に、前面ガラス基板１側に配置された列電極本体部Ｄ１ａと対向する位置においてそれぞれ列方向に延びる帯状の縦壁１６Ａと、列方向において互いに隣接する行電極対（Ｘ１，Ｙ１）の背中合わせに位置するバス電極Ｘ１ｂとＹ１ｂおよびその間の領域部分に対向する位置において、それぞれ行方向に延びる帯状の横壁１６Ｂとによって構成される略格子状の隔壁１６が形成されている。
【００４２】
この隔壁１６によって、前面ガラス基板１と背面ガラス基板１５の間の放電空間が、各行電極対（Ｘ１，Ｙ１）において互いに対になっている透明電極Ｘ１ａとＹ１ａに対向する部分毎に区画されて、それぞれ方形の放電セルＣが形成されている。
【００４３】
この隔壁１６の横壁１６Ｂは、保護層の嵩上げ誘電体層１４を被覆している部分に当接されている。
放電セルＣに面する隔壁１６の縦壁１６Ａおよび横壁１６Ｂの側面と背面ガラス基板１５の表面に、これらの五つの面を全て覆うように蛍光体層１７が形成されており、この蛍光体層１７の色は、各放電セルＣ毎に赤，緑，青の三原色が行方向に順に並ぶように配列されている。
【００４４】
そして、前面ガラス基板１と背面ガラス基板１５の間の放電空間内に、キセノン・ガスを含む放電ガスが封入されている。
【００４５】
このＰＤＰにおける画像形成は、以下のようにして行われる。
すなわち、上記ＰＤＰは、行電極Ｘ１，Ｙ１に電圧が印加されると、行電極Ｘ１の透明電極Ｘ１ａの先端部分Ｘ１ａ１に対向しているフローティング電極Ｅ１、および、行電極Ｙ１の透明電極Ｙ１ａの先端部分Ｙ１ａ１に対向しているフローティング電極Ｅ２が第１誘電体層２を介して容量結合される。
【００４６】
一斉リセット期間の後のアドレス期間において、行電極Ｙ１に走査パルスが印加されるとともに、列電極Ｄ１の列電極本体部Ｄ１ａに映像信号の表示データに対応したデータ・パルスが印加されて、選択的に、この列電極Ｄ１の列電極放電部Ｄ１ｂと、走査パルスが印加された行電極Ｙ１の透明電極Ｙ１ａに容量結合されて電位を有するようなったフローティング電極Ｅ２との間でアドレス放電が発生され、これによって、パネル面に、第１誘電体層２および第２誘電体層１３に壁電荷が形成された放電セル（発光セル）Ｃと、壁電荷が形成されていない放電セル（非発光セル）Ｃとが分布される。
【００４７】
そして、次のサステイン期間において、行電極Ｘ１とＹ１にサステイン・パルスが印加され、第１誘電体層２および第２誘電体層１３に壁電荷が形成されている発光セルＣ内において、行電極Ｘ１とＹ１の放電ギャップｇを介して互いに対向する透明電極Ｘ１ａとＹ１ａにそれぞれ容量結合されて電位を有するようになったフローティング電極Ｅ１とＥ２間においてサステイン放電が発生され、放電空間内に封入されている放電ガス中のキセノン・ガスから真空紫外線が放射されて、それぞれ赤，緑，青に色分けされている蛍光体層１７がこの真空紫外線によって励起されて発光することにより、マトリクス表示による画像の形成が行われる。
【００４８】
したがって、上記ＰＤＰの構成によれば、アドレス放電およびサステイン放電が、それぞれ第２誘電体層１３のみを介して発生されるようになるので、従来の行電極と列電極の双方が前面ガラス基板側に配置されたＰＤＰにおいて、行電極を被覆する誘電体層の膜厚が大きくなって放電電圧が上昇してしまうという問題が解消されて、小さな放電電圧によってアドレス放電およびサステイン放電を発生させることが出来るようになる。
【実施例２】
【００４９】
図５および６は、この発明によるＰＤＰの実施形態における第２実施例を示しており、図５はこの第２実施例におけるＰＤＰの一部を示す正面図，図６は図５のＶ２−Ｖ２線における断面図である。
【００５０】
前述した第１実施例においては、フローティング電極が行電極の透明電極の先端部分にそれぞれ完全に重なり合った位置に配置されていたのに対し、この第２実施例によるＰＤＰは、第１誘電体層２の背面に形成されるフローティング電極Ｅ１１，Ｅ１２が、それぞれ、前面ガラス基板１側から見て、対応する行電極Ｘ１，Ｙ１の透明電極Ｘ１ａ，Ｙ１ａの先端部分Ｘ１ａ１，Ｙ１ａ１と完全に重なり合っておらず、透明電極Ｘ１ａ，Ｙ１ａの先端部分Ｘ１ａ１，Ｙ１ａ１に対して、一部分のみが重なり合うようにずれた位置に配置されている。
【００５１】
すなわち、図５および６において、フローティング電極Ｅ１１は、透明電極Ｘ１ａに対してその先端側（図５において下側）に列方向にずれた位置に配置されて、このフローティング電極Ｅ１１の後側（行電極Ｘ１のバス電極Ｘ１ｂ側）の一部が、前面ガラス基板１側から見て、透明電極Ｘ１ａの先端部分Ｘ１ａ１の先端側部分と重なり合っている。
【００５２】
さらに、フローティング電極Ｅ１２は、透明電極Ｙ１ａに対してその先端側（図５において上側）に列方向にずれた位置に配置されて、このフローティング電極Ｅ１２の後側（行電極Ｙ１のバス電極Ｙ１ｂ側）の一部が、前面ガラス基板１側から見て、透明電極Ｙ１ａの先端部分Ｙ１ａ１の先端側部分と重なり合っている。
【００５３】
この実施例におけるＰＤＰの他の部分の構成は、前述した第１実施例のＰＤＰとほぼ同様であり、第１実施例と同一の構成部分については、図５および６において図２ないし４と同一の符号が付されている。
【００５４】
この実施例におけるＰＤＰも、第１実施例と同様に、行電極Ｘ１，Ｙ１に電圧が印加されると、行電極Ｘ１の透明電極Ｘ１ａの先端部分Ｘ１ａ１に対向しているフローティング電極Ｅ１１、および、行電極Ｙ１の透明電極Ｙ１ａの先端部分Ｙ１ａ１に対向しているフローティング電極Ｅ１２が第１誘電体層２を介して容量結合される。
【００５５】
このため、ＰＤＰ駆動時のアドレス期間において、列電極Ｄ１にデータ・パルスが印加され行電極Ｙ１に走査パルスが印加された際に、行電極Ｙ１の透明電極Ｙ１ａに容量結合されて電位を有するようなったフローティング電極Ｅ１２と列電極Ｄ１の列電極放電部Ｄ１ｂとの間でアドレス放電が発生される。
【００５６】
さらに、行電極Ｘ１とＹ１にサステイン・パルスが印加された際に、行電極Ｘ１の透明電極Ｘ１ａに容量結合されたフローティング電極Ｅ１１と行電極Ｙ１の透明電極Ｙ１ａと容量結合されて電位を有するようなったフローティング電極Ｅ１２との間で、サステイン放電が発生される。
【００５７】
したがって、このＰＤＰの構成によれば、アドレス放電およびサステイン放電が、それぞれ第２誘電体層１３のみを介して発生されるようになるので、従来の行電極と列電極の双方を前面ガラス基板側に配置されたＰＤＰにおいて、行電極を被覆する誘電体層の膜厚が大きくなって放電電圧が上昇してしまうという問題が解消されて、小さな放電電圧によってアドレス放電およびサステイン放電を発生させることが出来るようになる。
【実施例３】
【００５８】
図７ないし９は、この発明によるＰＤＰの実施形態における第３実施例を示しており、図７はこの第３実施例におけるＰＤＰの前面ガラス基板の背面側の構成の一部を示す斜視図であり、図８は同実施例のＰＤＰの一部を示す正面図，図９は図８のＶ３−Ｖ３線における断面図である。
【００５９】
前述した第１および第２実施例においては、前面ガラス基板側に行電極対が配置され放電空間側に列電極が配置されていたのに対し、この実施例のＰＤＰは、前面ガラス基板１側に列電極Ｄ２が配置され、放電空間側に行電極対（Ｘ２，Ｙ２）が配置されていて、列電極Ｄ２を被覆する第１誘電体層３２の背面に、行電極対（Ｘ２，Ｙ２）と、列電極Ｄ２の列電極放電部Ｄ２ｂに対向するフローティング電極Ｅ３０が形成されている。
【００６０】
すなわち、図７ないし９において、前面ガラス基板１の背面上に、列電極Ｄ２が、互いに所定の間隔を開けて行方向に平行に並設されている。
【００６１】
この各列電極Ｄ２は、それぞれ、列方向に延びる帯状の列電極本体部Ｄ２ａと、この列電極本体部Ｄ２ａの等間隔位置から行方向に沿って一方の側（図示の例では、右側）に延びる複数の列電極放電部Ｄ２ｂとによって構成されている。
【００６２】
この前面ガラス基板１の背面には、さらに、第１誘電体層３２が形成されて、この第１誘電体層３２によって列電極Ｄ２が被覆されている。
【００６３】
この第１誘電体層３２の背面上には、複数の行電極対（Ｘ２，Ｙ２）が、前面ガラス基板１の行方向（図８の左右方向）に延びるように平行に配列されている。
【００６４】
行電極Ｘ２は、Ｔ字形状に形成されたＩＴＯ等の透明導電膜からなる透明電極Ｘ２ａと、前面ガラス基板１の行方向に延びて透明電極Ｘ２ａの幅狭の基端部に接続された黒色または暗色の金属膜からなるバス電極Ｘ２ｂとによって構成されている。
【００６５】
行電極Ｙ２も同様に、Ｔ字形状に形成されたＩＴＯ等の透明導電膜からなる透明電極Ｙ２ａと、前面ガラス基板１の行方向に延びて透明電極Ｙ２ａの幅狭の基端部に接続された黒色または暗色の金属膜からなるバス電極Ｙ２ｂとによって構成されている。
【００６６】
この行電極Ｘ２とＹ２は、前面ガラス基板１の列方向（図８の上下方向）に交互に配列されており、バス電極Ｘ２ｂとＹ２ｂに沿って並列されたそれぞれの透明電極Ｘ２ａとＹ２ａが互いに対となる相手の行電極側に延びて、透明電極Ｘ２ａとＹ２ａの幅広部の頂辺が、それぞれ所要の間隔の放電ギャップｇ２を介して互いに対向されている。
【００６７】
そして、前面ガラス基板１の背面に形成された列電極Ｄ２と第１誘電体層３２の背面に形成された行電極対（Ｘ２，Ｙ２）とは、列電極Ｄ２の列電極本体部Ｄ２ａが、それぞれ、行電極Ｘ２，Ｙ２のバス電極Ｘ２ｂ，Ｙ２ｂに沿って行方向に等間隔に並ぶ透明電極Ｘ２ａ，Ｙ２ａのそれぞれの中間位置に対向する位置に配置され、列電極放電部Ｄ２ｂが、それぞれ、その先端部が行電極対（Ｘ２，Ｙ２）の各透明電極Ｘ２ａとＹ２ａの間の放電ギャップｇ２の中間位置に対向する位置に配置された位置関係になっている。
【００６８】
さらに、第１誘電体層３２の背面上には、放電ギャップｇ２を介して対向する透明電極Ｘ２ａとＹ２ａの中間位置において列電極Ｄ２の列電極放電部Ｄ２ｂに対向する位置に、他の部分に電気的に接続されていない帯状のフローティング電極Ｅ３０が、行方向と平行に形成されている。
【００６９】
このフローティング電極Ｅ３０の位置は、前面ガラス基板１側から見て列電極放電部Ｄ２ｂと完全に重なり合うように位置されていても良いし、列電極放電部Ｄ２ｂと一部のみが重なり合うように位置されていても良い。
【００７０】
また、このフローティング電極Ｅ３０は、金属電極または透明電極の何れであっても良いが、透明電極が好ましい。
【００７１】
そして、第１誘電体層３２の背面には、第２誘電体層３３が形成されて、行電極対（Ｘ２，Ｙ２）とフローティング電極Ｅ３０が被覆されている。
【００７２】
この第２誘電体層３３の背面には、列方向において隣接する行電極対（Ｘ２，Ｙ２）の互いに背中合わせに位置しているバス電極Ｘ２ｂとＹ２ｂ、および、この背中合わせのバス電極Ｘ２ｂとＹ２ｂの間の領域部分に対向する位置に、それぞれ、行方向に帯状に延びる嵩上げ誘電体層３４が形成されている。
【００７３】
そして、この第２誘電体層３３と嵩上げ誘電体層３４の背面に、ＭｇＯからなる図示しない保護層が形成されて、この保護層によって第２誘電体層３３および嵩上げ誘電体層３４の背面が被覆されている。
【００７４】
背面ガラス基板１５側の構成およびＰＤＰの他の部分の構成については、前述した第１実施例の場合と同様であり、同一の構成部分については、図７ないし９において図２ないし４と同一の符号が付されている。
【００７５】
上記ＰＤＰは、その駆動時に列電極Ｄ２に電圧が印加されると、この列電極Ｄ２の列電極放電部Ｄ２ｂに対向しているフローティング電極Ｅ３０が、第１誘電体層３２を介して列電極放電部Ｄ２ｂと容量結合される。
【００７６】
このため、ＰＤＰ駆動時のアドレス期間において、列電極Ｄ２にデータ・パルスが印加され行電極Ｙ２に走査パルスが印加された際に、列電極Ｄ２の列電極放電部Ｄ２ｂに容量結合されて電位を有するようなったフローティング電極Ｅ３０と行電極Ｙ２の透明電極Ｙ２ａとの間で、アドレス放電が発生される。
【００７７】
したがって、上記ＰＤＰの構成によれば、アドレス放電が、第２誘電体層３３のみを介して発生されるようになるので、従来の行電極と列電極の双方が前面ガラス基板側に配置されたＰＤＰにおいて、列電極を被覆する誘電体層の膜厚が大きくなって放電電圧が上昇してしまうという問題が解消されて、小さな放電電圧によってアドレス放電を発生させることが出来るようになる。
【実施例４】
【００７８】
図１０ないし１２は、この発明によるＰＤＰの実施形態における第４実施例を示しており、図１０はこの第４実施例におけるＰＤＰの前面ガラス基板の背面側の構成の一部を示す斜視図であり、図１１は同実施例のＰＤＰの一部を示す正面図，図１２は図１１のＶ４−Ｖ４線における断面図である。
【００７９】
前述した第３実施例の列電極が、列方向に延びる列電極本体部とこの列電極本体部から放電セル毎に行方向に延びる列電極放電部とによって構成されていたのに対し、この実施例のＰＤＰは、前面ガラス基板１の背面に形成された列電極Ｄ３が、列方向に延びる帯状の列電極本体部のみによって構成されている。
【００８０】
すなわち、図１０ないし１２において、前面ガラス基板１の背面上に、列方向に帯状に延びる列電極Ｄ３が、互いに所定の間隔を開けて行方向に平行に並設されている。
【００８１】
この前面ガラス基板１の背面には、さらに、第１誘電体層４２が形成されて、この第１誘電体層４２によって列電極Ｄ３が被覆されている。
【００８２】
この第１誘電体層４２の背面上には、複数の行電極対（Ｘ２，Ｙ２）が、前述した第３実施例の場合と同様の態様で形成されている。
【００８３】
前面ガラス基板１の背面に形成された列電極Ｄ３は、行電極対（Ｘ２，Ｙ２）を構成する行電極Ｘ２，Ｙ２のバス電極Ｘ２ｂ，Ｙ２ｂに沿って行方向に等間隔に並ぶ透明電極Ｘ２ａ，Ｙ２ａの中間位置に対向する位置に、それぞれ配置されている。
【００８４】
さらに、第１誘電体層４２の背面上の放電ギャップｇ２を介して対向する透明電極Ｘ２ａとＹ２ａの中間位置に、行方向に延びる帯状のフローティング電極Ｅ４０が形成されており、このフローティング電極Ｅ４０の一方の端部（図示の例では図１１において左側の端部）が、前面ガラス基板１側から見て、列電極Ｄ３に重なり合う位置まで延びている。
【００８５】
このフローティング電極Ｅ４０は、金属電極または透明電極の何れであっても良いが、透明電極が好ましい。
【００８６】
そして、第１誘電体層４２の背面には、第２誘電体層４３が形成されて、行電極対（Ｘ２，Ｙ２）とフローティング電極Ｅ４０が被覆されている。
【００８７】
背面ガラス基板１５側の構成およびＰＤＰの他の部分の構成については、前述した第３実施例の場合と同様であり、同一の構成部分については、図１０ないし１２において図７ないし９と同一の符号が付されている。
【００８８】
上記ＰＤＰの駆動時に列電極Ｄ３に電圧が印加されると、この列電極Ｄ３に端部が対向しているフローティング電極Ｅ４０が、第１誘電体層４２を介して列電極Ｄ３と容量結合される。
【００８９】
このため、ＰＤＰ駆動時のアドレス期間において、列電極Ｄ３にデータ・パルスが印加され行電極Ｙ２に走査パルスが印加された際に、列電極Ｄ３に容量結合されて電位を有するようなったフローティング電極Ｅ４０と行電極Ｙ２の透明電極Ｙ２ａとの間で、アドレス放電が発生される。
【００９０】
したがって、上記ＰＤＰの構成によれば、アドレス放電が、第２誘電体層４３のみを介して発生されるようになるので、従来の行電極と列電極の双方が前面ガラス基板側に配置されたＰＤＰにおいて、列電極を被覆する誘電体層の膜厚が大きくなって放電電圧が上昇してしまうという問題が解消されて、小さな放電電圧によってアドレス放電を発生させることが出来るようになる。
【００９１】
上記各実施例におけるＰＤＰは、一方の基板の背面側に第１電極が配置され、この第１電極と直交する方向に延びる第２電極、および、第１電極と基板の厚さ方向において重なり合う位置に位置されるとともに他の部分と電気的に無接続の第３電極が、それぞれ第１電極よりも放電空間に近接する側に配置されて誘電体層によって被覆されていることによって、第１電極と第２電極によって単位発光領域内の放電空間において放電が行われて画像形成が行われる際に、第１電極に放電発生のための電圧が印加されると、第１電極よりも放電空間側に近接する位置に配置されている第３電極が、誘電体層を介して第１電極と容量結合されて、従来は第１電極間においてまたは第１電極と第２電極の間で発生されていた放電が、それぞれ第１電極に容量結合される第３電極間、または、第３電極と第２電極の間で発生されるようになるので、第３電極と放電空間の間に介在される誘電体層の厚さが第１電極と放電空間の間に介在される誘電体層の厚さよりも小さくなることによって、従来のＰＤＰに比べて、第１電極間または第１電極と第２電極間に印加される放電電圧を小さくすることが出来るようになる。
【図面の簡単な説明】
【００９２】
【図１】ＰＤＰの従来例を示す斜視図である。
【図２】この発明によるＰＤＰの実施形態における第１実施例を示す斜視図である。
【図３】同実施例の正面図である。
【図４】図３のＶ１−Ｖ１線における断面図である。
【図５】この発明によるＰＤＰの実施形態における第２実施例を示す正面図である。
【図６】図５のＶ２−Ｖ２線における断面図である。
【図７】この発明によるＰＤＰの実施形態における第３実施例を示す斜視図である。
【図８】同実施例の正面図である。
【図９】図８のＶ３−Ｖ３線における断面図である。
【図１０】この発明によるＰＤＰの実施形態における第４実施例を示す斜視図である。
【図１１】同実施例の正面図である。
【図１２】図１１のＶ４−Ｖ４線における断面図である。
【符号の説明】
【００９３】
１                              …前面ガラス基板（一方の基板）
２，３２，４２                  …第１誘電体層
５                              …背面ガラス基板
１３，３３，４３                …第２誘電体層
Ｃ                              …放電セル（単位発光領域）
Ｄ，Ｄ１，Ｄ２，Ｄ３            …列電極（第１電極または第２電極）
Ｄ１ａ，Ｄ２ａ，Ｄ３ａ          …列電極本体部
Ｄ１ｂ，Ｄ２ｂ，Ｄ３ｂ          …列電極放電部
Ｅ１，Ｅ２，Ｅ１１，Ｅ１２，Ｅ３０，Ｅ４０
…フローティング電極（第３電極）
Ｘ１，Ｙ１，Ｘ２，Ｙ２          …行電極（第１電極または第２電極）
Ｘ１ａ，Ｙ１ａ，Ｘ２ａ，Ｙ２ａ  …透明電極（行電極放電部）
Ｘ１ｂ，Ｙ１ｂ，Ｘ２ｂ，Ｙ２ｂ  …バス電極（行電極本体部）
Ｘ１ａ１，Ｙ１ａ１              …先端部分（幅広の先端部）
ｇ１，ｇ２                      …放電ギャップ
【図１】
2006324033.tif 000003
【図２】
2006324033.tif 000004
【図３】
2006324033.tif 000005
【図４】
2006324033.tif 000006
【図５】
2006324033.tif 000007
【図６】
2006324033.tif 000008
【図７】
2006324033.tif 000009
【図８】
2006324033.tif 000010
【図９】
2006324033.tif 000011
【図１０】
2006324033.tif 000012
【図１１】
2006324033.tif 000013
【図１２】
2006324033.tif 000014